(57)【要約】【課題】一対のガイドレールを正確に芯出しすることができるばかりでなく、少ない種類で多様なレール間寸法およびレールサイズに対応することができ、さらには運搬が容易で保管に必要なスペースが少なくて済むガイドレール用芯出し治具を提供する。【解決手段】本発明の芯出し治具は、所定の長さで左右方向に延びる主杆１０と、第１の基準面２２ａおよび第２の基準面２２ｂを有して主杆１０の両端に着脱自在に固定される左右一対のベース２０Ｌ，２０Ｒと、ガイドレールを前後方向に押動して第１の基準面２２ａに密着させる第１の押動機構３０と、ガイドレールを左右方向に押動して第２の基準面に密着させる第２の押動機構４０と、左右一対のベース２０Ｌ，２０Ｒに着脱自在に固定される左右一対の位置決めプレート５０Ｌ，５０Ｒとを備える。【選択図】　図１
2004075209.tif 000002
【特許請求の範囲】
【請求項１】
エレベータの昇降路に設置する左右一対のガイドレールを芯出しするために用いる芯出し治具であって、
所定の長さで左右方向に延びる主杆と、
前記ガイドレールの前後いずれか一方のガイド面に密着可能な上下左右に延びる第１の基準面および前記ガイドレールの先端側ガイド面に密着可能な上下前後に延びる第２の基準面を有した、前記主杆の左右両端にそれぞれ着脱自在に固定される左右一対のベースと、
前記ガイドレールを前後方向に押動して前記ガイドレールの前後いずれか一方のガイド面を前記第１の基準面に密着させる、前記固定部に設けられた第１の押動機構と、
前記ガイドレールを左右方向に押動して前記ガイドレールの先端側ガイド面を前記第２の基準面に密着させる、前記固定部に設けられた第２の押動機構と、
前記昇降路内に張設されて鉛直方向に延びる基準線を受け入れる切込部を有した、前記左右一対のベースにそれぞれ着脱自在に固定される左右一対の位置決めプレートと、
を備えることを特徴とするエレベータガイドレールの芯出し治具。
【請求項２】
前記第２の押動機構は、
前記ベース上に左右方向にスライド自在に設けられたスライド部材と、
前記スライド部材を前記ベースに対して左右方向に変位させる、前記スライド部材および前記ベースにそれぞれ係合するねじ軸と
前記スライド部材にその基端部が軸支されて前後方向に揺動自在であり、かつ前記ガイドレールの底部の前後両端にそれぞれ係合可能な係合部をその揺動端に有する前後一対の揺動爪と、
を有することを特徴とする請求項１に記載したエレベータガイドレールの芯出し治具。
【請求項３】
前記左右一対のベースは、前記左右一対の位置決めプレートの周縁に当接して前記左右一対の位置決めプレートを位置決めするための複数のノックピンを有することを特徴とする請求項１または２に記載したエレベータガイドレールの芯出し治具。
【発明の詳細な説明】
【０００１】
【発明の属する技術分野】
本発明は、エレベータの昇降路に設置するガイドレールの芯出し作業に用いる芯出し治具に関し、より詳しくは、互いに対向する一対のガイドレールを正確に芯出しすることができるばかりでなく、少ない種類で多様なレール間寸法およびレールサイズに対応することができ、さらには運搬が容易で保管に必要なスペースが少なくて済むガイドレール用芯出し治具に関する。
【０００２】
【従来の技術】
従来、エレベータの昇降路には乗りかごや釣合錘の昇降を案内するために複数のガイドレールが設けられているが、これらのガイドレールは昇降路の底部から頂部にわたって正確に位置決めして固定する必要がある。
そこで、昇降路の頂部および底部にそれぞれ設けたテムプレート間で鉛直方向に延びる複数のピアノ線を張設するとともに、芯出し治具を用いて所定の間隔に保持した一対のガイドレールを一体に変位させつつ張設したピアノ線を基準として位置決めする芯出し作業を行っている。
【０００３】
このようなガイドレールの芯出し作業に用いる従来の芯出し治具について図８を参照して説明すると、左右一対のガイドレール１Ｌ，１Ｒの芯出しに用いる芯出し治具２は、棒状の主杆部２ａと、この主杆部２ａの左右両端にそれぞれ固定された箱状の定規部２ｂとを備えている。
各定規部２ｂには、ガイドレール１Ｌ，１Ｒのガイド面にそれぞれ密着する基準面２ｃ、位置決め用のピアノ線Ｐ１を受け入れる切込部２ｄ、支軸２ｅによってその基端が揺動自在に支持された揺動腕３がそれぞれ設けられている。
さらに、揺動腕３の先端にその基端が揺動自在に軸支されたねじ軸４には、ガイドレール１Ｌ，１Ｒの一方の底部側縁に係合する駒５と、この駒５をガイドレール１Ｌ，１Ｒに固定するための雌ねじ６とが取り付けられている。
【０００４】
このような従来の芯出し治具２を用いて左右一対のガイドレール１Ｌ，１Ｒを芯出しする際には、まず最初に各定規部２ｂの基準面２ｃにガイドレール１Ｌ，１Ｒのガイド面を密着させる。
その後、図８中の左側に２点鎖線で示したように揺動腕３およびねじ軸４を揺動させて駒５をガイドレール１Ｌ，１Ｒの一方の底部側縁に当接させ、次いでねじ６を締め付けて駒５を固定すると、左右一対のガイドレール１Ｌ，１Ｒはこの芯出し治具２によって一体に保持される。
そして、張設したピアノ線Ｐ１が各定規部２ｂの切込部２ｄ内に入るように左右一対のガイドレール１Ｌ，１Ｒを一体に変位させることにより、左右一対のガイドレール１Ｌ，１Ｒを芯出しすることができる。
【０００５】
【発明が解決しようとする課題】
ところが、上述した従来の芯出し治具２は、主杆部２ａと定規部２ｂとを一体に結合したものであるため、レール間寸法とレールサイズとの組み合わせに応じて多数の種類を個別に製作しなければならなかった。
また、左右一対のガイドレール１Ｌ，１Ｒの一方の底部側縁に駒５を係合させてねじ６を締め付けることにより定規部２ｂの基準面２ｃに各ガイドレール１Ｌ，１Ｒを密着させる構造であるため、図８中に矢印で示したように左右一対のガイドレール１Ｌ，１Ｒに傾きが生じて正確な芯出しを行うことができなかった。また、揺動腕３およびねじ軸４を揺動させる際に他のガイドレールを芯出しするためのピアノ線Ｐ２やその他の周囲の機器類と干渉することがあり、芯出し作業をスムーズに行うことができなかった。
さらに、細長い主杆２ａの両端に重い定規部２ｂを固定した構造であるため、重量が左右に偏っていて運搬が困難であるばかりでなく、保管にも大きなスペースを必要としていた。
【０００６】
そこで本発明の目的は、上述した従来技術が有する問題点を解消し、互いに対向する一対のガイドレールを正確に芯出しすることができるばかりでなく、少ない種類で多様なレール間寸法およびレールサイズに対応することができ、さらには運搬が容易で保管に必要なスペースが少なくて済むガイドレール用芯出し治具を提供することにある。
【０００７】
【課題を解決するための手段】
上記の課題を解決するための請求項１に記載の手段は、
エレベータの昇降路に設置する左右一対のガイドレールを芯出しするために用いる芯出し治具であって、
所定の長さで左右方向に延びる主杆と、
前記ガイドレールの前後いずれか一方のガイド面に密着可能な上下左右に延びる第１の基準面および前記ガイドレールの先端側ガイド面に密着可能な上下前後に延びる第２の基準面を有した、前記主杆の左右両端にそれぞれ着脱自在に固定される左右一対のベースと、
前記ガイドレールを前後方向に押動して前記ガイドレールの前後いずれか一方のガイド面を前記第１の基準面に密着させる、前記固定部に設けられた第１の押動機構と、
前記ガイドレールを左右方向に押動して前記ガイドレールの先端側ガイド面を前記第２の基準面に密着させる、前記固定部に設けられた第２の押動機構と、
前記昇降路内に張設されて鉛直方向に延びる基準線を受け入れる切込部を有した、前記左右一対のベースにそれぞれ着脱自在に固定される左右一対の位置決めプレートと、
を備えることを特徴としている。
【０００８】
すなわち、請求項１に記載したエレベータガイドレールの芯出し治具は、第１の押動機構によりガイドレールを前後方向に押動して第１の基準面に密着させるとともに、第２の押動機構によりガイドレールを左右方向に押動して第２の基準面に密着させるものであるから、左右一対のガイドレールを傾かせることなく一体に保持することができる。
したがって、本発明の芯出し治具によって左右一対のガイドレール一体に保持した状態で、芯出し治具および左右一対のガイドレールを少しずつ変位させ、位置決めプレートに設けた切込部に位置基準となるピアノ線を受け入れることにより、左右一対のガイドレールを正確に芯出しすることができる。
また、請求項１に記載したエレベータガイドレールの芯出し治具は、主杆に対して左右一対のベースを着脱自在に固定するとともに、左右一対のベースに対して左右一対の位置決めプレートを着脱自在に固定するものであるから、主杆および位置決めプレートを交換することにより、少ない種類で多様なレール間寸法およびレールサイズに対応することができる。
さらには、主杆と左右一対のベースとを分離することにより、運搬を容易なものとしつつ保管に必要なスペースを小さくすることができる。
【０００９】
【発明の実施の形態】
以下、図１乃至図７を参照し、本発明に係るエレベータガイドレールの芯出し治具の一実施形態について詳細に説明する。
なお、以下の説明においては、一方のガイドレールから他方のガイドレールに向かう方向を左右方向と言う。
また、左右対称の部分については左右いずれか一方について説明するとともに、同一の部分には同一の符号を用いてその説明を省略する。
【００１０】
まず最初に図１を参照すると、本実施形態の芯出し治具１００は、芯出し作業を行う左右一対のガイドレールのレール間寸法に合わせてその長さが設定された細長い角筒状の主杆１０と、この主杆１０の両端部に着脱自在に固定される左右一対のベース２０Ｌ，２０Ｒとを備えている。
【００１１】
図２に拡大して示したように、ベース２０Ｒを構成するベースプレート２１の中央部分２１ａには断面形状Ｌ字形の基準面部材２２が固着されている。この基準面部材２２は、上下左右に延びる第１の基準面２２ａと、上下前後に延びる第２の基準面２２ｂとを有している。
第１の基準面２２ａはガイドレール１Ｒの後方（図示上方）のガイド面１ｃと密着することができ、第２の基準面２２ｂはガイドレール１Ｒの先端ガイド面１ｂと密着することができる。
ベースプレート２１の下面には、主杆１０の両端部をスライド自在に受け入れる角筒状の主杆保持部材２３が左右方向に延びるように固定されている。また、この主杆保持部材２３には主杆１０を固定するための複数のボルト２３が貫設されている（図４参照）。
ベースプレート２１の後側（図示上側）には、後述する位置決めプレート５０Ｒを取り付けるための取付部２１ｂが設けられている。この取付部２１ｂには、位置決めプレート５０Ｒを固定するためのスクリュが貫通する４個の取付孔２５が貫設されているとともに、位置決めプレート５０Ｒを位置決めするための４本のノックピン２６がそれぞれ植設されている。
また、ベースプレート２１の上面には、後述する第２の押動機構４０Ｒの左右方向のスライドを案内する２本の案内ピン２７が立設されている。
さらに、ベースプレート２１の前側（図示下側）には、左右方向に延びる長孔２１ｃが貫設されている。
【００１２】
図２に示したように、ベースプレート２１の下方でかつ主杆保持部材２３の前側（図２において図示下側）には、第１の押動機構としてのトグルクランプ３０Ｒが取り付けられている。
このトグルクランプ３０は、操作レバー３１を操作して略左右方向に変位させると腕３２が揺動してロッド３３を前後方向に変位させる機構であり、ロッド３３はガイドレール１Ｒを後方に押動して第１の基準面２２ａに密着させる役割を果たす。
【００１３】
ベースプレート２１の上面には、第２の押動機構４０が左右方向にスライド自在に設けられている。
この第２の押動機構４０は、ベースプレート２１上で左右方向にスライド自在なスライドプレート（スライド部材）４１を有している。このスライドプレート４１に貫設されて左右方向に延びる長孔４１ａには前述した２本の案内ピン２７が挿通され、このスライドプレート４１の左右方向のスライドを案内している。さらに、このスライドプレート４１の下面に植設された１本の案内ピン４１ｂ（図４参照）は、ベースプレート２１に貫設されて左右方向に延びる図示されない長孔内に挿通され、このスライドプレート４１の左右方向のスライドを案内している。
【００１４】
図２に示したように、スライドプレート４１上に固定された直方体状のねじブロック４２には、前後一対の支軸４２ａ，４２ｂが植設され、前後一対の揺動爪４３，４４の基端を揺動自在に軸支している。
揺動爪４３，４４の揺動端には、ガイドレール１Ｒの底面において前後両側端１ｄ，１ｅと係合可能な係合部４３ａ，４４ａがそれぞれ設けられている。
ねじブロック４２を貫通して左右方向に延びるねじロッド４５の先端には、基準面部材２２の背面２２ｃに当接可能な回転体４５ａが回転自在に取り付けられている。
これにより、回転体４５ａを基準面部材２２の背面２２ｃに当接させた状態でねじロッド４５を回転させると、ねじブロック４２、したがってこの第２の押動機構４０Ｒの全体を主杆１０の長手方向中央部に向かってスライド変位させることができる。
【００１５】
図２に示したように、位置決めプレート５０Ｒは矩形状の板材で、その本体部分５１の一方の側縁には位置決め用の基準となるピアノ線を受け入れる複数の切込部５２が形成されている。
また、本体部分５１の他方の側縁５１ａおよび前方の側縁５１ｂを前述したノックピン２６に当接させることにより、第１の基準面２２ａおよび第２の基準面２２ｂに対して切込部５２を所定の位置に正確に位置決めすることができる。
また、本体部分５１に貫設されている４個の貫通孔５３にスクリュを挿通して左右一対のベースプレート２１上に固定することができる。
【００１６】
次に、図３乃至図７を参照し、本実施形態の芯出し治具１００を用いて左右一対のガイドレール１Ｌ，１Ｒを芯出しする手順について詳細に説明する。
【００１７】
まず最初に、芯出し作業を行う左右一対のガイドレール１Ｌ，１Ｒのレール間寸法に合わせて、所定の長さを有する主杆１０を選択する。
次いで、図３および図４に示したように、第２の基準面２２ｂ同士の間隔がガイドレール１Ｌ，１Ｒのレール間寸法に対応する所定の寸法Ｌとなるように測定しつつ、左右一対のベース２０Ｌ，２０Ｒを選択した主杆１０の左右両端にそれぞれ固定する。
【００１８】
次に、芯出し作業を行う左右一対のガイドレール１Ｌ，１Ｒのレールサイズに合わせて選択した左右一対の位置決めプレート５０Ｌ，５０Ｒを左右一対のベース２０Ｌ，２０Ｒにそれぞれ固定する。
このとき、左右一対の位置決めプレート５０Ｌ，５０Ｒの側縁を各ノックピン２６に当接させることにより、第１の基準面２２ａおよび第２の基準面２２ｂに対して切込部５２を所定の位置に正確に位置決めすることができる。
【００１９】
次に、図５に示したように、エレベータの昇降路内に仮設した左右一対のガイドレール１Ｌ，１Ｒの後側案内面１ｃに左右一対の第１の基準面２２ａをそれぞれ当接させつつ、トグルクランプ３０Ｌ，３０Ｒの操作レバー３１をそれぞれガイドレール１Ｌ，１Ｒ側に倒して押圧ロッド３３の先端を左右一対のガイドレール１Ｌ，１Ｒの前側案内面１ａに押圧する。
これにより、左右一対のトグルクランプ３０Ｌ，３０Ｒを用いて左右一対のガイドレール１Ｌ，１Ｒを後方に押動し、左右一対のガイドレール１Ｌ，１Ｒの後側案内面１ｃを第１の基準面２２ａにそれぞれ密着させることができる。
【００２０】
次に、図６に示したように、図示右側の第２の押動機構４０Ｒを右側のガイドレール１Ｒ側にスライドさせつつ、揺動爪４３，４４を揺動させて右側のガイドレール１Ｒの底部の左右両側端１ｄ，１ｅに係合させる。このとき、揺動爪４３，４４の揺動範囲はごく小さいから、右側のガイドレール１Ｒの周囲に配設されている他の機器類と干渉するおそれがない。
その後、ねじロッド４５を回転させてその先端に取り付けられている回転体４５ａを基準面部材２２の背面２２ｃに当接させる。次いで、ねじロッド４５をさらに回転させることにより右側のガイドレール１Ｒを引き寄せて、その先端ガイド面１ｂを第２の基準面に２２ｂに密着させる。
なお、右側のガイドレール１Ｒを基準面部材２２側に引き寄せる際には、トグルクランプ３０Ｒの押圧ロッド３３の先端がガイドレール１Ｒの前側ガイド面１ａ上をスライドすることになる。
【００２１】
次に、主杆１０上に水準器を載置して主杆１０の水平度を確認する。
水平度に狂いがある場合には、左側のトグルクランプ３０Ｌを操作して押圧ロッド３３の先端を左側のガイドレール１Ｌから一旦離間させ、主杆１０の水平度を修正してから左側のトグルクランプ３０Ｌを用いて左側のベース２０Ｌを左側のガイドレール１Ｌに仮固定する。
【００２２】
次に、図７に示したように、図示左側の第２の押動機構４０Ｌの揺動爪４３，４４を揺動させて左側のガイドレール１Ｌの底部の左右両側端１ｄ，１ｅに係合させる。このとき、揺動爪４３，４４の揺動範囲はごく小さいから、左側のガイドレール１Ｌの周囲に設けられている他のピアノ線や他の機器類と干渉するおそれはない。
その後、ねじロッド４５を回転させてその先端に取り付けられている回転体４５ａを基準面部材２２の背面２２ｃに当接させる。次いで、ねじロッド４５をさらに回転させることにより左側のガイドレール１Ｌを引き寄せて、その先端ガイド面１ｂを第２の基準面に２２ｂに密着させる。
なお、左側のガイドレール１Ｌを基準面部材２２側に引き寄せる際には、トグルクランプ３０Ｌの押圧ロッド３３の先端がガイドレール１Ｌの前側ガイド面１ａ上をスライドすることになる。
【００２３】
以上の操作により、本実施形態の芯出し治具１００を左右一対のガイドレール１Ｌ，１Ｒに本固定することができる。
このとき、トグルクランプ（第１の押動機構）３０Ｌ，３０Ｒを用いて左右一対のガイドレール１Ｌ，１Ｒを後方に押動し第１の基準面２２ａに密着させるとともに、第２の押動機構４０Ｌ，４０Ｒを用いて左右一対のガイドレール１Ｌ，１Ｒを左右方向に押動し第２の基準面２２ｂに密着させるから、左右一対のガイドレール１Ｌ，１Ｒを傾かせることなくこの芯出し治具１００によって一体に保持することができる。
したがって、この芯出し治具１００により左右一対のガイドレール１Ｌ，１Ｒを一体に保持した状態で、芯出し治具１００および左右一対のガイドレール１Ｌ，１Ｒを少しずつ変位させ、位置決めプレート５０Ｌ，５０Ｒの切込部５２に位置基準用のピアノ線Ｐ１を受け入れることにより、左右一対のガイドレール１Ｌ，１Ｒを正確に芯出しすることができる。
【００２４】
また、本実施形態の芯出し治具１００は、主杆１０に対して左右一対のベース２０Ｌ，２０Ｒを着脱自在に固定するとともに、左右一対のベース２０Ｌ，２０Ｒに対して左右一対の位置決めプレート５０Ｌ，５０Ｒを着脱自在に固定するものであるから、主杆１０および位置決めプレート５０Ｌ，５０Ｒを交換することにより、少ない種類で多様なレール間寸法およびレールサイズに対応することができる。
さらには、主杆１０と左右一対のベース２０Ｌ，２０Ｒとを分離することにより、運搬を容易にしつつ保管に必要なスペースを小さくすることができる。
【００２５】
以上、本発明に係るエレベータガイドレールの芯出し治具の一実施形態ついて詳しく説明したが、本発明は上述した実施形態によって限定されるものではなく、種々の変更が可能であることは言うまでもない。
例えば、上述した実施形態においては、左右一対のガイドレール１Ｌ，１Ｒを後方に押動してその後側ガイド面１ｃを第１の基準面２２ａに密着させているが、基準面部材２２の形状を前後方向に反転させることにより、左右一対のガイドレール１Ｌ，１Ｒを前方に押動してその前側ガイド面１ａを第１の基準面に密着させる構造とすることもできる。
【００２６】
【発明の効果】
以上の説明から明らかなように、本発明のエレベータガイドレールの芯出し治具は、第１の押動機構によりガイドレールを前後方向に押動して第１の基準面に密着させるとともに、第２の押動機構によりガイドレールを左右方向に押動して第２の基準面に密着させるものであるから、左右一対のガイドレールを傾かせることなく一体に保持することができる。
したがって、本発明の芯出し治具によって左右一対のガイドレール一体に保持した状態で、芯出し治具および左右一対のガイドレールを少しずつ変位させ、位置決めプレートに設けた切込部に位置基準となるピアノ線を受け入れることにより、左右一対のガイドレールを正確に芯出しすることができる。
また、本発明のエレベータガイドレールの芯出し治具は、主杆に対して左右一対のベースを着脱自在に固定するとともに、左右一対のベースに対して左右一対の位置決めプレートを着脱自在に固定するものであるから、主杆および位置決めプレートを交換することにより、少ない種類で多様なレール間寸法およびレールサイズに対応することができる。
さらには、主杆と左右一対のベースとを分離することにより、運搬を容易なものとしつつ保管に必要なスペースを小さくすることができる。
【図面の簡単な説明】
【図１】本発明に係るエレベータガイドレールの芯出し治具の一実施形態を分解した状態で示す平面図。
【図２】図１の要部をガイドレールと共に示す拡大平面図。
【図３】図に示した芯出し治具を組み立てた状態で示す平面図。
【図４】図に示した芯出し治具を組み立てた状態で示す正面図。
【図５】左右のベースを左右のガイドレールに仮固定した状態を示す平面図。
【図６】右側のベースを右側のガイドレールに本固定するとともに左側のベースを左側のガイドレールに仮固定した状態を示す平面図。
【図７】左右のベースを左右のガイドレールに本固定した状態を示す平面図。
【図８】従来の芯出し治具を示す平面図。
【符号の説明】
Ｐ１，Ｐ２　基準線（ピアノ線）
１Ｌ，１Ｒ　ガイドレール
１ａ　前側ガイド面
１ｂ　先端ガイド面
１ｃ　後側ガイド面
２　従来の芯出し治具
２ａ　主杆
２ｂ　定規部
３　揺動腕
４　ねじ軸
５　駒
６　ねじ
１０　主杆
２０Ｌ，２０Ｒ　ベース
２１　ベースプレート
２２　基準部材
２２ａ　第１の基準面
２２ｂ　第２の基準面
２３　主杆保持部材
２４　主杆固定ボルト
２５　取付孔
２６　ノックピン
２７　案内ピン
３０　トグルクランプ（第１の押動機構）
３１　操作レバー
３２　腕
３３　押圧ロッド
４０　第２の押動機構
４１　スライドプレート
４１ａ　長孔
４２　ねじブロック
４２ａ，４２ｂ　支軸
４３，４４　揺動爪
４５　ねじ軸
５０　位置決めプレート
５１　プレート本体
５１ａ，５１ｂ　基準面
５２　切込部
５３　貫通孔
１００　芯出し治具
【図１】
2004075209.tif 000003
【図２】
2004075209.tif 000004
【図３】
2004075209.tif 000005
【図４】
2004075209.tif 000006
【図５】
2004075209.tif 000007
【図６】
2004075209.tif 000008
【図７】
2004075209.tif 000009
【図８】
2004075209.tif 000010